(57)【要約】      （修正有）【課題】皮膚の活性化を目的とする美容器を提供する。【解決手段】電圧出力手段と、前記電圧出力手段を制御する制御手段と、電圧出力手段から出力した交番電圧により人体を流れる電流を検出する電流検出手段と、表示画面と、ＬＥＤと、タイマー手段と、照明手段を有し、前記人体に流れる電流を前記電流検出手段で検出し表示画面やＬＥＤで表示し美容施術の状態を確認できるようにする。またタイマー手段と照明手段により必要な一定時間だけ照明を点灯し、夜間でも使用できる低消費電流な美容器とする。さらに皮膚へ刺激が少なく美容効果のある最適に制御された低レベルの交番電圧波形を出力することである。【選択図】図１
2005312847.tif 000002
【特許請求の範囲】
【請求項１】
人体の皮膚に接触させた２つの電極を介し前記人体に電流を流すための交番電圧を出力する電圧出力手段と、前記電圧出力手段を制御する制御手段と、前記電流を検出する電流検出手段と、表示画面とを有し、前記表示画面には、少なくともバーグラフ表示の機能を有し、前記バーグラフ表示が、前記交番電圧の０Ｖ電圧を前記バーグラフの中心とし、前記交番電圧の極性に応じ左右、もしくは上下の方向に前記電流検出手段から出力する信号に応じバーの数を増減させることを特徴とする美容器。
【請求項２】
人体の皮膚に接触させた２つの電極を介し前記人体に電流を流すための交番電圧を出力する電圧出力手段と、前記電圧出力手段を制御する制御手段と、前記電流を検出する電流検出手段と、電源をオン／オフする電源スイッチと、前記電圧出力手段をオン／オフする出力スイッチと、前記電圧出力手段がオン時に点灯する出力表示ＬＥＤと、前記電流検出手段から信号が出力した時に点灯する電流表示ＬＥＤとを有し、前記出力表示ＬＥＤと前記電流表示ＬＥＤに異なる発光色を用い、前記出力スイッチの周囲に前記出力表示ＬＥＤと前記電流表示ＬＥＤの発光色が重なるよう近接して配置し、前記人体に流れる電流の変化に伴い、前記出力スイッチ周辺の色を変化させることを特徴とする美容器。
【請求項３】
人体の皮膚に接触させた２つの電極を介し前記人体に電流を流すための交番電圧を出力する電圧出力手段と、前記電圧出力手段を制御する制御手段と、電源をオン／オフする電源スイッチと、施術時間および点灯時間を設定するタイマー手段と、ＬＥＤを用いた照明手段とを有し、前記ＬＥＤの点灯／消灯が、前記電源スイッチがオンした後一定時間点灯しその後自動消灯するのと、前記タイマー手段により設定された前記施術時間終了後に一定時間点灯しその後自動消灯することを特徴とする美容器。
【請求項４】
人体の皮膚に接触させた２つの電極を介し前記人体に電流を流すための交番電圧を出力する電圧出力手段と、前記電圧出力手段を制御する制御手段とを有し、前記交番電圧が、０Ｖ電圧である第１期間と、０Ｖ電圧を基準としたプラス電圧とマイナス電圧が０Ｖ電圧を出力する時間を間に挟み交互に極性反転を少なくとも１回以上繰り返し出力する第２期間とを合わせたものを１周期とし、前記１周期の時間が４秒以内であるのと、前記１周期の中でプラス電圧を出力する時間の合計とマイナス電圧を出力する時間の合計が同じであるのと、前記プラス電圧と前記マイナス電圧の絶対値が同じであるのと、さらに前記絶対値が２Ｖ以下であるのと、前記第１期間の時間が０．４秒から３秒の間であるのと、前記プラス電圧および前記マイナス電圧を出力する時間が０．３秒から１．８秒の間であるのと、前記プラス電圧とマイナス電圧に挟まれた０Ｖ電圧である時間が０秒から１秒の間であることを条件とし、１周期毎に前記条件内で前記第１期間の時間と、前記第２期間内のプラス電圧、マイナス電圧、０Ｖ電圧の出力する時間とを各々変化させながら連続的に繰り返し出力することを特徴とする美容器。
【発明の詳細な説明】
【発明の詳細な説明】
【技術分野】
【０００１】本発明は人体の皮膚に微弱な交番電圧を与える美容器に関するものである。
【背景技術】
【０００２】従来美容器として、被施術者の皮膚表面に塗布した薬液や化粧液をイオン化し皮膚内部に浸透させるイオン導入を用いたものや、パルス状の低周波電流を流し筋肉の運動により皮膚を刺激する低周波治療器を応用したものがある。これらの機器は施術時皮膚に電気的な刺激を感じるものが多く被施術者が施術の状態を確認することができた。
【発明が解決しようとする課題】
【０００３】イオン導入は、薬液を皮膚内部に取り込むため、薬液との相性があり、体質によっては拒否反応を起こすこともある。皮膚深層部に薬液成分を多く浸透させることが目的のため１０Ｖ以上に電圧を上げる方法や、直流電圧のほかに１ＫＨｚ程度の矩形波電圧などを用いることが多い。例えばビタミンＣを皮膚内に導入する場合、通常マイナス側の電極を顔の皮膚表面に接触させ、プラス側電極を他の部位、例えば手などに接触させ通電する。皮膚側の電極をマイナス側とすると、皮膚との接触部で電気的な痛みを感じやすいことが経験的に解っている。他にパルス状の低周波電流を体内に流し、筋収縮によりマッサージを行うものがあるが、印加電圧が高く，電気的刺激を感じる事が多い。それに比べ交番電圧を人体に印加するものは比較的低い電圧での使用が可能である。
【０００４】美容器は、女性が主に顔などに使用するため、電気的な刺激に対して非常に敏感である。出来るだけ刺激が少なく皮膚の活性化ができ美容効果のあるものが必要とされる。しかし刺激が少ないと、施術が正しく行われているか不安になり、効果も少ないように感じる。また施術者自身が操作を行う場合、操作スイッチを押さず出力が無い状態、もしくは装置の不良で人体に通電されないまま気付かず使用していることがある。これらの対策として、人体に流れる電流を検出しＬＥＤを点滅する方法や、多段階に分けて表示するものが既に知られている。しかし女性が主に自宅などで使用する美容器ではさらに視覚に変化のある表現方法が要求され、施術の状態を色の変化で表現出来ると効果的である。
【０００５】また交番電圧を用いた美容器では施術者に流れる電流の反転による刺激の状態を視覚で確認出来ればより効果を認識しやすく被施術者に安心感を与えることができる。
【０００６】さらに女性は夜の就眠前に化粧を落とすことが多いため、自宅で行う美容施術は夜が多い。このため美容器自体に顔部を照らす照明装置があると便利である。美容器をハンドバックなどに入れ携帯可能にするとさらに便利であるが、この場合電池で動作させるため消費電流を減らすことが必要である。
【０００７】前記のように交番電圧を用いた美容器には比較的電圧が低いものがあるが、さらに美容効果があり、アトピー性皮膚炎など敏感な肌の方でも使用できる刺激の少ない波形の検討が必要である
【０００８】したがって本発明の課題は皮膚の活性化を目的とする美容器において、施術の状態を色の変化で視覚的に確認できるのと、交番電圧の極性反転による施術の状態を視覚的に確認できるのと、携帯が可能で夜間でも使用できるのと、皮膚へ刺激が少ない交番電圧波形を出力することである。
【課題を解決するための手段】
【０００９】請求項１に記載の美容器は、人体の皮膚に接触させた２つの電極を介し前記人体に電流を流すための交番電圧を出力する電圧出力手段と、前記電圧出力手段を制御する制御手段と、前記電流を検出する電流検出手段と、表示画面とを有し、前記表示画面には、少なくともバーグラフ表示の機能を有し、前記バーグラフ表示が、前記交番電圧の０Ｖ電圧を前記バーグラフの中心とし、前記交番電圧の極性に応じ左右、もしくは上下の方向に前記電流検出手段から出力する信号に応じバーの数を増減させることを特徴としている。
【００１０】上記の構成によれば、微弱な交番電圧を被施術者の皮膚に印加し皮膚細胞の活性化を行う際、交互に電圧の極性を反転しながら細胞を刺激している状態が画面のバーグラフに表示されるため、皮膚に電気的な刺激を感じなくても施術の状態を確認することが可能となる。
【００１１】請求項２に記載の美容器は、人体の皮膚に接触させた２つの電極を介し前記人体に電流を流すための交番電圧を出力する電圧出力手段と、前記電圧出力手段を制御する制御手段と、前記電流を検出する電流検出手段と、電源をオン／オフする電源スイッチと、前記電圧出力手段をオン／オフする出力スイッチと、前記電圧出力手段がオン時に点灯する出力表示ＬＥＤと、前記電流検出手段から信号が出力した時に点灯する電流表示ＬＥＤとを有し、前記出力表示ＬＥＤと前記電流表示ＬＥＤに異なる発光色を用い、前記出力スイッチの周囲に前記出力表示ＬＥＤと前記電流表示ＬＥＤの発光色が重なるよう近接して配置し、前記人体に流れる電流の変化に伴い、前記出力スイッチ周辺の色を変化させることを特徴としている。
【００１２】上記の構成によれば、微弱な交番電圧を被施術者の皮膚に印加し皮膚細胞の活性化を行う際、出力スイッチを押すことにより、出力スイッチ周辺が発光し出力状態であることを確認することが可能となり、さらに電流が流れると出力スイッチ周辺の発光色が変化するため、施術の状態を電流の変化として視覚で確認することが可能となる。
【００１３】請求項３に記載の美容器は、人体の皮膚に接触させた２つの電極を介し前記人体に電流を流すための交番電圧を出力する電圧出力手段と、前記電圧出力手段を制御する制御手段と、電源をオン／オフする電源スイッチと、施術時間および点灯時間を設定するタイマー手段と、ＬＥＤを用いた照明手段とを有し、前記ＬＥＤの点灯／消灯が、前記電源スイッチがオンした後一定時間点灯しその後自動消灯するのと、前記タイマー手段により設定された前記施術時間終了後に一定時間点灯しその後自動消灯することを特徴としている。
【００１４】上記の構成によれば、暗い場所で美容器を使用する際、電源オン後一定時間照明が点灯することにより、美容器の操作スイッチや、電極のセッティングが可能となる。また施術終了時も自動的に照明が点灯するため、電極の取り外しが可能となる。さらに一定時間点灯後自動的に消灯するため、電力の消費を少なくし、携帯出来るように小型電池での動作が可能となる。
【００１５】請求項４に記載の美容器は、人体の皮膚に接触させた２つの電極を介し前記人体に電流を流すための交番電圧を出力する電圧出力手段と、前記電圧出力手段を制御する制御手段とを有し、前記交番電圧が、０Ｖ電圧である第１期間と、０Ｖ電圧を基準としたプラス電圧とマイナス電圧が０Ｖ電圧を出力する時間を間に挟み交互に極性反転を少なくとも１回以上繰り返し出力する第２期間とを合わせたものを１周期とし、前記１周期の時間が４秒以内であるのと、前記１周期の中でプラス電圧を出力する時間の合計とマイナス電圧を出力する時間の合計が同じであるのと、前記プラス電圧と前記マイナス電圧の絶対値が同じであるのと、さらに前記絶対値が２Ｖ以下であるのと、前記第１期間の時間が０．４秒から３秒の間であるのと、前記プラス電圧および前記マイナス電圧を出力する時間が０．３秒から１．８秒の間であるのと、前記プラス電圧とマイナス電圧に挟まれた０Ｖ電圧である時間が０秒から１秒の間であることを条件とし、１周期毎に前記条件内で前記第１期間の時間と、前記第２期間内のプラス電圧、マイナス電圧、０Ｖ電圧の出力する時間とを各々変化させながら連続的に繰り返し出力することを特徴としている。
【００１６】上記構成によれば、皮膚へ刺激が少なく美容効果のある最適に制御された低レベルの交番電圧波形を出力することが可能である。
【発明を実施するための最良の形態】
【００１７】本発明の実施の形態を図面を参考に説明する。図１は本発明の動作を説明するためのブロック図である。図２は本発明の実施例を示す斜視図である。図３は実施例における表示画面１３の表示例を示す。図４は実施例における出力スイッチ１０の周辺拡大断面図を示す。図５は横軸を経過時間として、本発明の電圧出力波形と人体に流れる電流波形を表したものである。【００１８】最初に図１のブロック図により美容器１の構成について説明する。美容器１には電圧出力手段２、制御手段３、電流検出手段６、電圧出力手段をオン／オフする出力スイッチ１０、出力スイッチ１０がオンにより電圧が出力されたときに点灯する出力表示ＬＥＤ１１、電流検出手段６が電流を検出した時に点灯する電流表示ＬＥＤ１２、美容器の状態と電流検出手段により検出した電流値をバーグラフで表示する表示画面１３、電源１５、電源スイッチ１６を具備する。さらに電圧出力手段２には極性切り替えスイッチ８や定電圧回路９を有し規定の電圧波形を作成し出力することが可能である。制御手段にはタイマー手段７やマイクロコンピューター他、操作スイッチ１７、Ａ／Ｄ、Ｄ／Ａ変換器を有する。電流検出手段は抵抗器とオペアンプで構成し、抵抗器に流れる電流により生じた電圧をオペアンプで増幅し制御手段に入力する。この電流検出用抵抗器を人体に流れる電流の制限用抵抗として兼用してもよい。【００１９】次に図１のブロック図により美容器の動作について説明する。電源スイッチ１６をオンすると各部が動作を開始する。出力スイッチ１０をオンにすると、出力表示ＬＥＤ１１が点灯、制御手段から規定の電圧波形を作成するための信号を受けて出力手段からその波形の電圧を出力する。電圧出力手段より出力される電圧は２つの電極５ａ，５ｂを介して人体に加わる。これにより出力手段２から電極５ａ、人体４、電極５ｂ、電流検出手段６、出力手段２からなる閉回路が構成され電流が流れる。この電流を電流検出手段６で検出して制御手段３内のＡ／Ｄ変換器を介してマイクロコンピューターで演算処理し、表示画面に電流値の変化をバーグラフで表示させる。さらにマイクロコンピューターによりＤ／Ａ変換器を介し、人体に流れる電流に応じて電流表示ＬＥＤ１２に流す電流値を可変し光度を変化させる。【００２０】照明手段１４にはＬＥＤを使用し制御手段３内のタイマー手段により設定された時間だけ点灯する。このタイマー手段は施術時間設定タイマー機能も有しており、出力スイッチをオンすると出力手段から電圧を出力し同時に施術時間タイマーが動作開始する。施術時間タイマーが完了すると照明手段１４のＬＥＤが点灯し、タイマー手段により設定された時間だけ点灯する。この照明手段のＬＥＤは操作スイッチ１７が押されたときに、前記タイマーを利用し一定時間点灯するようにしても良い。【００２１】照明装置は消費電流を減らす目的でＬＥＤを用い、このＬＥＤも白色ＬＥＤが望ましい。視覚に入る色は光源の色により変化するため、ＬＥＤの発光色が白以外のものを使用すると、肌の色が異なって見えることになる。ただし肌の色を意図的に健康的に写すときはオレンジ色のＬＥＤを用いることも良い。【００２２】美容施術の時間は通常１０分から１５分程度であるが被施術者が皮膚の状態を確認するのは、主に施銃前と施術後である、したがってその間はＬＥＤを消灯させることにより消費電流を減らすことが可能である。電池動作の携帯機器では低消費電力にすることは電池の小形化、使用時間の延長が可能で非常に重要である。【００２３】図２は本発明の実施例を示す斜視図で、美容器１のパネル面には照明手段１４、表示画面１３、操作スイッチ１７、電源スイッチ１６、出力スイッチ１０が具備され、美容器１から出力する電圧は本体に接続されたコード１８とコードの先に接続した電極５ａ，５ｂを介し人体４の顔部の皮膚に印加する。皮膚表面と電極間の接触面積が少ない場合インピーダンスが大きくなるため、電極の面積は広い方が望ましく、水分含有可能な繊維状のものが良い。【００２４】図３は表示画面１３の表示例で、人体に流れる電流に応じて変化する状態をバーグラフで示したものである。一例として表示１９は美容器１から出力する電圧出力の極性がプラス電圧で流れる電流が少ないときを表す。表示２０はバーの表示がバーグラフの右側になり電圧出力の極性が反転したことを示す。表示２１は電圧出力の極性がプラス電圧で流れる電流が多いとき、表示２２は同様に極性が反転しマイナス電圧のときを表す。表示２３、２４はバーグラフの表示方向を上下の動きで示した例である。このようにバーグラフ表示の中心位置を基準にし、電圧の極性により左右もしくは上限に分け、人体に流れる電流の値によりバーの数を変化させる。【００２５】図４は美容器１の出力スイッチ１０周辺を拡大した断面図で出力スイッチ１０の近くに異なる発行色の電流表示ＬＥＤ１２と出力表示ＬＥＤ１１を、近接して配置し、発光色を混合し表示する。電流表示ＬＥＤ１２の光度を人体に流れる電流に応じて可変し、変化のある表現を可能とした。これらのＬＥＤに２色発光ダイオード、もしくは３色発光ダイオードを用い一つのＬＥＤに置き換えても良い。また使用するＬＥＤとパネル面との距離が１センチメートル以上離れているほうがパネル面での色の変化が緩やかになるため、図４で示すようにＬＥＤを美容器本体の底部に配置している。さらに出力スイッチ１０の周囲を二重の円筒状の遮光板で囲み、パネル面では出力スイッチ１０を囲む輪が色を変えながら発光するような構造とし表現力を増している。【００２６】図５は横軸を経過時間として、本発明の電圧出力波形を表した例で、これを参考に説明する。電圧波形２５とその電圧により人体に流れる電流２６は時間を横軸とし、また電圧波形は０Ｖ電圧を基準に、プラス電圧とマイナス電圧を縦軸に表している。Ｔ１からＴ４は各状態の電圧が出力されている時間を表す。Ｓ１からＳ６は電流と時間の積で人体に流れる電荷量を表す。【００２７】一つの周期は第１期間と第２期間を合わせたもので時間の変化を伴いながら繰り返す出力波形の最小単位とする。第１期間は０Ｖ電圧が出力される時間Ｔ１からなり、第２期間はプラス電圧もしくはマイナス電圧が最初に出力される時間Ｔ２と、間に０Ｖ電圧を出力する時間Ｔ３を挟み、その後Ｔ２に対し０Ｖ電圧を基準として逆極性の電圧が出力する時間Ｔ４の３つの時間を合わせたもので、どちらの極性が先行しても良い。図５では第１周期と第２周期の２つの周期の例を表しており、そのうち第２周期はプラス電圧とマイナス電圧の反転を第２期間のなかで２回繰り返す例を示したものである。【００２８】ここで上記電圧出力波形は複数の条件により構成され、その条件は、１つの周期が４秒以内である。０Ｖである第１期間の時間Ｔ１が０．４秒から３秒の間であり、第２期間の最初に電圧が出力する時間Ｔ２と反転した電圧が出力される時間Ｔ４とが同じであり、かつ電圧の絶対値が同じであり、さらにその電圧が２Ｖ以下である。またそれぞれの電圧出力時間Ｔ２とＴ４が０．３秒から１．８秒の間であり、その間に挟まれた０Ｖ電圧である時間Ｔ３が０秒から１秒の間である。【００２９】また第２周期の例のように第２期間のなかで交互に複数回繰り返す場合は一方の極性の電圧が出力している時間の合計をＴ２とし他方の極性の電圧が出力している時間の合計をＴ４とし、その間の０Ｖ電圧が出力されている時間の合計をＴ３として条件設定する。【００３０】本発明の電圧出力波形は１周期毎に上記各条件内において最初に０Ｖ電圧である時間Ｔ１と、第２期間内Ｔ２、Ｔ３、Ｔ４の出力する時間をそれぞれ変化させながら連続的に繰り返す。【００３１】皮膚に電流を流すための制御方式として電流を制御する方式がある。この場合電極が皮膚に接触する前は出力回路と電極と人体からなる閉回路がオープンなためインピーダンスが無限大となり、制御回路では規定の電流を流そうと働き、出力電圧を最大にする。この状態で電極を皮膚に接触させると、接触時に電気的な刺激を感じやすくなる。本発明は皮膚に流す電流を電圧により制御し、電気的な痛みを少なくしている。【００３２】次にこれら電圧波形の条件を設定した経緯について説明する。生体が活動する営みは、生体が必要とするエネルギーの供給も含めすべて電子の移動により成りたっており、活性化とは電子つまりイオンの移動量を多くするとも言える。また生体は非常に多くの細胞により構成され，一つひとつの細胞は半透過性の細胞膜で覆われて、細胞の内外はイオン濃度が異なる電解液で満たされ、それらのイオンは細胞膜間を移動できる。細胞膜を介した細胞内外での電位差はイオン濃度の差により生じるが通常はこれらのイオンは細胞内に安定した状態で静止している。【００３３】しかし生体の一部に異常が生じると細胞膜内にイオンの偏在が起こり電位差とそれに伴う体内のインピーダンスに変化がおきることが知られている。この状態においてはイオンの移動、つまりエネルギーの移動が妨げられ細胞の活力が弱っている状態と考えられる。【００３４】このように細胞とイオンは密接な関係があり、細胞を活性化するにはイオンの働きが重要であることが解る。生体内では鉄などの金属イオンを始め様々なイオンが存在しかつ、精密に制御され安定を保っているが、その制御の届かない部分は異常をきたすことになる。そこで生体に直接微弱な交番電圧を加えることで生体内部に交互に繰り返すイオンの流れを作り、細胞自体に刺激を与え、さらに細胞内外の偏ったイオンバランスを正常に戻すことにより、細胞を活性化させることが可能であると考える。【００３５】本発明の電圧波形は、上記の考え方で開発した交番電圧による美容器を多数納入しその使用者から肌のハリやツヤの改善、美白効果以外にもアトピー性皮膚炎や皮膚疾患でのかゆみの改善が見られた等の報告を基に、新たな見地からさらに改善したものである。波形の主な条件設定内容を以下に説明する。【００３６】繰り返される電圧波形の１周期が必ず０Ｖ電圧で始まり最大が４秒とする。図５において、第１周期もしくは第２周期の時間を示す。東洋医学を用いた電気療法では、治療効果を上げるため、心臓の心拍に同期、もしくは血流の時間に合わせ電圧を印加する方法が知られている。また体内の一部である心筋細胞が脱分極となる時間は０．３秒程度と細胞が比較的ゆっくり活動していることも知られており、周期として心臓の心拍数から心拍数よりも数倍遅い範囲の休み時間を間に挟んだ繰り返しとして設定している。【００３７】一つの周期のなかでプラス電圧とマイナス電圧の絶対値が同じで出力時間が同じ、つまりプラス電圧の時に流れる電荷量とマイナス電圧の時に流れる電荷量を同じにすることにより生体内のイオンバランスを均等化させる。図５において第１周期ではＳ１＝Ｓ２、第２周期では（Ｓ３＋Ｓ５）＝（Ｓ４＋Ｓ６）となる。【００３８】プラス電圧もしくはマイナス電圧が出力する時間を０．３秒から１．８秒の範囲にすることで美容施術の効果持続時間を延ばす。図５においてＴ２とＴ４の時間の条件を示す。電気療法で人体の神経や筋に電圧を加え電気刺激する場合、電流を流す時間により効果の持続時間が変化し、電圧印加時間を数分の１秒以上にすると分極の生成に変化がおこり、相当時間効果が持続することが知られている【００３９】人体を電気的な等価回路で表すと抵抗とコンデンサの並列接続となっておりインピーダンスは５０Ｈｚで１ＫΩ程度とされ、容易に人体に電流を流すことが可能である。コンデンサの容量は少なく低周波では、ほぼ抵抗のみとみなせる。人体の心筋細胞では約８０ｍＶの電位差が生じていることや細胞に刺激を与える電流値は１０μＡから５０μＡと非常に低い値であることが知られている。人体のインピーダンスは上記のごとく１ＫΩ前後であるが皮膚表面のインピーダンスに加え皮膚表面と電極間に抵抗が存在するため、例えば顔の両側に１０平方センチメートル程の大きさの電極を接触した状態でのインピーダンスを測定すると５ＫΩ前後となる。この５ＫΩで５０μＡの電流を流すために必要な電圧は０．２５Ｖとなり、皮膚に刺激を感じない非常に低い電圧を用いて細胞に刺激を与えることが可能であることが解る。【００４０】一つの周期のなかで夫々出力する時間を設定された条件内で変化させそれを可変しながら繰り返すことにより、皮膚を電流の変化に対する慣れから防ぎ美容施術効果を長期継続させる。薬剤による治療でも同様であるが最初は効果があり続けると効果が低下する場合が多い。これはからだの中に自然に耐性ができてくるためと考える。【００４１】上記条件で設定した波形つまり請求項４に記載の交番電圧波形を実際に顔部に美容施術する例を説明する。施術条件として１日１回１５分間とし、２つの電極を被施術者顔部の両頬に接触させ、電極を移動させながら顔部全体に電圧±０．５Ｖを印加、電極として接触部の面積を増やすため導電性繊維に塩水を含ませたものを使用する。個人差があるが通常２週間ほど続��ると、皮膚表面にハリがでてくる。特に年齢が４０歳以上の女性などで顔全体にたるみが生じそれによりシワが目立つ場合顕著に改善の効果が表れる。皮膚の白色度が増し皮膚表面にツヤが生じ化粧の乗りも良く、化粧の量も施術前より少なくて済むようになる。【００４２】交番電圧により皮膚内の細胞が活性化し、弾力繊維が増え皮膚にハリが生じ、シワが目立たなくなることは既に多くの実績から明らかになっている。しかし皮膚細胞の刺激により弾力繊維が増えることや、皮膚表面（肌）の色が白くなること、さらにアトピー性皮膚炎などの皮膚疾患が改善され、特にかゆみが軽減するメカニズムについてはまだ明確にされていない部分が多い。本発明の交番電圧波形は従来の技術から推定できる最適な条件と過去の実績を基に新たな見地から実験を繰り返し、従来±５Ｖから±１５Ｖ前後の電圧で使用していたものを±２Ｖ以下の低い電圧において最も効果のある電圧波形パターンを見出したものである。
【発明の効果】
【００４３】以上述べたように、請求項１の発明によれば、施術時の皮膚に刺激を感じなくても、細胞に働きかける電流の極性反転の状態や流れる電流の変化が視覚で確認ができ施術者に安心感を与えることが出来た。
【００４４】請求項２の発明により出力スイッチを押すと、そのスイッチ周辺が発光することで電圧が出力されていることが確認でき、さらに施術者自身に流れる電流によりスイッチ周辺の色が変化するため、楽しく施術することが可能になった。
【００４５】請求項３の発明によって、夜間でも使用できさらに電池寿命を大幅に延ばすことができた。
【００４６】請求項４の発明によって皮膚に刺激を与えない非常に低い電圧印加で美容効果を得ることが可能になった。このためアトピー性皮膚炎などの敏感になっている皮膚にも施術が可能になった。
【図面の簡単な説明】
【図１】  本発明の動作を説明するためのブロック図である。
【図２】  本発明の実施例を示す斜視図である。
【図３】  実施例における表示画面の表示例を示す図である。
【図４】  実施例における出力スイッチ周辺の拡大断面図を示す。
【図５】  図５は横軸を経過時間として、本発明の電圧と電流出力波形を示す図である。
【符号の説明】
１．美容器
２．電圧出力手段
３．制御手段
４．人体
５ａ、５ｂ．電極
６．電流検出手段
７．タイマー手段
１０．出力スイッチ
１１．出力表示ＬＥＤ
１２．電流表示ＬＥＤ
１３．表示画面
１４．照明手段
１５．電源（電池）
１６．電源スイッチ
１７．操作スイッチ
１８．接続コード
１９〜２４．バーグラフ表示例
２５．電圧波形
２６．電流波形
【図１】
2005312847.tif 000003
【図２】
2005312847.tif 000004
【図３】
2005312847.tif 000005
【図４】
2005312847.tif 000006
【図５】
2005312847.tif 000007